(57)【要約】【課題】換気用やドレン水排出用ホースの円周方向の位置決めが容易で施工性が優れ、尚且つ空気調和機の本体への収納性に優れた空気調和機を提供する。【解決手段】室内空気を屋外に排出するための換気用ホース２を室内ユニット１に受け具６とエルボ５を介して接続するとともに、前記エルボ５の断面形状を略Ｄ字状に形成したもので、他の配管やホースとの干渉を少なくすることができ、また本体出口１ａの開口面積を小さくすることが出来る。【選択図】図１ 
2005098535.tif 000002
【特許請求の範囲】
【請求項１】
室外ユニットと、前記室外ユニットに冷媒用配管を介して接続される室内ユニットとからなり、室内空気あるいはドレン水を屋外に排出するためのホースを前記室内ユニットに受け具とエルボを介して接続するとともに、前記エルボの断面形状を略Ｄ字状に形成したことを特徴とする空気調和機。
【請求項２】
エルボの一端に、ネジ穴を設けた第１のフランジと溝部を設け、他端に第２のフランジを設けたことを特徴とする請求項１記載の空気調和機。
【請求項３】
受け具に、第１、第２のリブを設けたことを特徴とする請求項１または２記載の空気調和機。
【請求項４】
第１のリブを第１のフランジに当接させ、第２のリブと溝部を嵌合させて、受け具とエルボの円周方向の位置決めを行うことを特徴とする請求項３記載の空気調和機。
【発明の詳細な説明】
【技術分野】
【０００１】
本発明は、空気調和機に関するもので、特に室内空気あるいはドレン水を屋外に排出するホースの接続に関するものである。
【背景技術】
【０００２】
従来の室内空気を室外に導いて換気する換気機能付き空気調和機の室内ユニットは、熱交換器、送風ファン、及び換気ファン等を具備した換気ユニットを備え、前記換気ユニットは室内ユニットの側面部に取りつけられていた。前記換気ファンの排気口にはアダプターと円形状のエルボを設け、これに根元接続部が円形でその先を略Ｄ形にしたホースが接続され、排気経路の方向が可変できるようになっていた（例えば、特許文献１参照）。
【特許文献１】特開２０００−１７１０５４号公報
【発明の開示】
【発明が解決しようとする課題】
【０００３】
しかしながら、前記従来の構成では、室内ユニット側面に換気ファンが配置され換気ダクト口部と室内ユニット本体出口が近接し、且つ室内ユニット本体出口開口部が十二分に確保できない場合は、換気用のホースが変形したり、施工工事の難易度が高くなるなどの問題があった。
【０００４】
本発明は、上記従来の課題を解決し、室内空気あるいはドレン水送出ホースの引き回しを容易にして施工性を向上させた空気調和機を提供することを目的とするものである。
【課題を解決するための手段】
【０００５】
前記従来の課題を解決するために、本発明の空気調和機は、室外ユニットと、前記室外ユニットに冷媒用配管を介して接続される室内ユニットとからなり、室内空気あるいはドレン水を屋外に排出するためのホースを前記室内ユニットに受け具とエルボを介して接続するとともに、前記エルボの断面形状を略Ｄ字状に形成したもので、他の配管やホースとの干渉を少なくし室内本体出口の開口面積を小さくすることが出来る。
【発明の効果】
【０００６】
本発明の空気調和機は、室内ユニットから室内空気あるいはドレン水を屋外に排出するホースの配管施工が極めて容易で、しかも美観の向上も実現できるものである。
【発明を実施するための最良の形態】
【０００７】
第1の発明は、室外ユニットと、前記室外ユニットに冷媒用配管を介して接続される室内ユニットとからなり、室内空気あるいはドレン水を屋外に排出するためのホースを前記室内ユニットに受け具とエルボを介して接続するとともに、前記エルボの断面形状を略Ｄ字状に形成したもので、他の配管やホースとの干渉を少なくし室内本体出口の開口面積を小さくすることが出来る。
【０００８】
第２の発明は、特に第１の発明のエルボの一端に、ネジ穴を設けた第１のフランジと溝部を設け、他端に第２のフランジを設けたもので、前記エルボの両端の形状が異なるので、取付位置が明確になり、誤接続が防げるので容易に接続することができる。
【０００９】
第３の発明は、特に第１又は第２の発明の受け具に、第１、第２のリブを設けたもので、第１、第２のリブの形状、位置を変えることで、取付位置を明確にすることができ、誤接続を防ぐことができる。
【００１０】
第４の発明は、特に第３の発明の第１のリブを第１のフランジに当接させ、第２のリブを溝部と嵌合させて、受け具とエルボの円周方向の位置決めを行うもので、円周方向にずれることなく、両部品を室内機に取り付けることができる。
【００１１】
以下、本発明の実施の形態について、図を参照にしながら説明する。なお、この実施の形態によって本発明が限定されるものではない。
【００１２】
（実施の形態１）
以下、本発明の第１の実施の形態における空気調和機について、図を用いて説明する。
【００１３】
図１において、本実施の形態の空気調和機は、室外ユニット(図示せず)と、前記室外ユニットと冷媒用配管４で接続される室内ユニット１から構成されている。２は、室内の空気を室外に送出する換気用ホースで、室内ユニット１に内蔵された換気用ファン(図示せず)に連通する排出口７を有する受け具６と断面略Ｄ字状のエルボ５を介して室内ユニット１に接続されている。３は、ドレン排水用のドレンホースである。
【００１４】
前記受け具６は、図２に示されるように、室内ユニット１の側面の近傍に、且つ排出口７が本体出口１ａと重なるように配置されている。これら配管の室内ユニット断面におけるレイアウトを図７に示す。同図において、ドレンホース３、冷媒用配管４、エルボ５は互いに密着する如く配置されている。
【００１５】
エルボ５には、一端にネジ穴５ｅを設けた第１のフランジ５ａと溝部５ｃを設け、他端に第２のフランジ５ｂを設け、取付位置を明確にして誤接続を防ぐようにしている。
【００１６】
受け具６には、第１のリブ６ａと第２のリブ６ｂを設け、取付位置を明確にし、誤接続することなく容易に接続することができるように構成されている。
【００１７】
受け具６にエルボ５を取りつける際に、エルボ５の第１のフランジ５ａが受け具６の第１のリブ６ａに当接し、エルボ５の溝部５ｃが受け具６の第２のリブ６ｂと嵌合して円周方向の位置決めができるように構成されている。
【００１８】
以上のように本実施の形態によれば、エルボ５の断面形状を略Ｄ字状に形成したことにより、他の配管やホースとの干渉を少なくし本体出口１ａの開口面積を小さくすることが出来る。
【００１９】
また、エルボ５の一端に、第１のフランジ５ａと溝部５ｃを設け、他端に第２のフランジ５ｂを設けて両端の形状を異ならせることにより、取付位置が明確になり、誤接続が防げるので容易に接続することができる。
【００２０】
また、受け具６に、形状又は／および形成位置が異なる第１、第２のリブ６ａ、６ｂを設けることにより、受け具６の取付位置を明確にすることができ、誤接続を防ぐことができる。
【００２１】
さらに、第１のリブ６ａを第１のフランジ５ａに当接させ、第２のリブ６ｂを溝部６ｃと嵌合させることで、エルボ５と受け具６の円周方向の位置決めがされるので、円周方向にずれることなく、両部品を室内ユニット１に確実に取り付けることができる。
【００２２】
なお、上記実施の形態では、エルボ５を室内空気を屋外に排出する換気用ホース２の取り付け用に説明したが、ドレン水の排出に使用されるホースの取り付けに使用してもよい
。
【産業上の利用可能性】
【００２３】
以上のように、本発明にかかる空気調和機は、室内ユニットから室内空気を屋外に排出するホース配管を簡単にジョイント工事することができ、施工性ならびに美観の向上が実現できるので、空調機器に限らず、ホースの接続を要しかつその引き出し方向が任意に変えられる洗濯機など各種機器にも適用できるものである。
【図面の簡単な説明】
【００２４】
【図１】本発明の第１の実施の形態を示す空気調和機の室内ユニットの斜視図
【図２】（ａ）同室内ユニットの部分背面図（ｂ）同室内ユニットの側面図
【図３】（ａ）同室内ユニットに接続されるエルボの平面図（ｂ）同エルボの正面図（ｃ）同エルボの側面図
【図４】同エルボの斜視図
【図５】同エルボを受ける受け具の斜視図
【図６】同エルボと受け具の構成図
【図７】同室内ユニットの本体出口のレイアウトを示す図
【符号の説明】
【００２５】
１  室内ユニット
２  換気用ホース
３  ドレンホース
４  冷媒用配管
５  エルボ
５ａ  第１のフランジ
５ｂ  第２のフランジ
５ｃ  溝部
６  受け具
６ａ  第１のリブ
６ｂ  第２のリブ
【図１】
2005098535.tif 000003
【図２】
2005098535.tif 000004
【図３】
2005098535.tif 000005
【図４】
2005098535.tif 000006
【図５】
2005098535.tif 000007
【図６】
2005098535.tif 000008
【図７】
2005098535.tif 000009